(57)【要約】【課題】  端末で表示する電子メールやウェブサイトのコンテンツなどの、文章の文字の大きさを、自動的に変更する文字サイズ自動変更システムを提供することを目的とする。【解決手段】  文章を読み込む文章読込部と、読み込んだ文章において文字がどれだけ含まれているかをカウントすることで、基準総ドット数を算出する基準総ドット数算出部と、文章において、実際に文字を表示するために使用されるドット数をカウントするドットカウント部と、基準総ドット数と、カウントしたドット数とに基づいて、読み込んだ文章の文字の表示の変更を行うかを判定する判定部と、判定部において表示の変更を行うことを判定した場合に、読み込んだ文章に対して所定の表示の変更の処理を施した上で、端末の表示装置で文章の表示を行う表示変更処理部と、を有する文字サイズ自動変更システムである。【選択図】  図１
2007305017.tif 000002
【特許請求の範囲】
【請求項１】
端末において表示する文章の文字の大きさを自動的に変更する文字サイズ自動変更システムであって、
前記文字サイズ自動変更システムは、
処理対象とする文章を読み込む文章読込部と、
前記読み込んだ文章において文字がどれだけ含まれているかをカウントすることで、基準総ドット数を算出する基準総ドット数算出部と、
前記文章において、実際に文字を表示するために使用されるドット数をカウントするドットカウント部と、
前記基準総ドット数算出部で算出した基準総ドット数と、前記ドットカウント部でカウントしたドット数とに基づいて、前記読み込んだ文章の文字の表示の変更を行うかを判定する判定部と、
前記判定部において表示の変更を行うことを判定した場合に、前記読み込んだ文章に対して所定の表示の変更の処理を施した上で、前記端末の表示装置で前記文章の表示を行う表示変更処理部と、
を有することを特徴とする文字サイズ自動変更システム。
【請求項２】
前記基準総ドット数算出部は、
前記カウントした文字数に、一文字を表示するのに必要な平均的な領域の大きさを乗算することにより、前記基準総ドット数を算出する、
ことを特徴とする請求項１に記載の文字サイズ自動変更システム。
【請求項３】
前記判定部は、
前記基準総ドット数と、前記ドットカウント部でカウントしたドット数とに基づいて、文章全体において文字を表示するために使用されるドットの割合を算出し、その割合が予め定められた基準値以上または基準値より大きい場合に、前記文章の文字の表示の変更を行うことを判定する、
ことを特徴とする請求項１に記載の文字サイズ自動変更システム。
【請求項４】
前記文章の文字の表示の変更として、
前記文章を所定の倍率で拡大表示する、前記文章を所定のフォントサイズで表示する、前記文章の行間を所定のサイズだけ空ける、前記文章の各文字の間隔を所定のサイズだけ空ける、のいずれか一以上を含む、
ことを特徴とする請求項１または請求項３に記載の文字サイズ自動変更システム。
【請求項５】
前記文章として、電子メール、ウェブサイトのコンテンツ、電子書籍のいずれか一以上を含む、
ことを特徴とする請求項１から請求項４のいずれかに記載の文字サイズ自動変更システム。
【請求項６】
端末を、
処理対象とする文章を読み込む文章読込部、
前記読み込んだ文章において文字がどれだけ含まれているかをカウントすることで、基準総ドット数を算出する基準総ドット数算出部、
前記文章において、実際に文字を表示するために使用されるドット数をカウントするドットカウント部、
前記基準総ドット数算出部で算出した基準総ドット数と、前記ドットカウント部でカウントしたドット数とに基づいて、前記読み込んだ文章の文字の表示の変更を行うかを判定する判定部、
前記判定部において表示の変更を行うことを判定した場合に、前記読み込んだ文章に対して所定の表示の変更の処理を施した上で、前記端末の表示装置で前記文章の表示を行う表示変更処理部、
として機能させるための文字サイズ自動変更プログラム。
【発明の詳細な説明】
【技術分野】
【０００１】
本発明は、端末で表示する電子メールやウェブサイトのコンテンツ、電子書籍などの、文章の文字（本明細書においては、文字、数字、記号などの文章を構成する要素の総称を「文字」とする）の大きさ（サイズ）を自動的に変更する、文字サイズ自動変更システムに関する。
【背景技術】
【０００２】
携帯電話、ＰＨＳなどの携帯端末や、パーソナルコンピュータなどで、電子メールやウェブサイトを表示する際に、その文章の文字が小さくて見にくい場合がある。特に携帯端末で表示する場合には、その機能の特性上、画面が小型サイズであり、表示される文章の文字も大きさが小さくなってしまう。そうすると、老人や視力の良くない人などがこれらの文章を見る際に苦労することとなる。
【０００３】
このような人に対して、携帯端末では文字をより大きなサイズで表示可能にする機能があるが、通常、かかる設定作業は複雑であり、機器の操作に不得手な人はその設定を行うことができない場合もある。またその設定が出来る人であっても、自らが設定を行わなければならない。
【０００４】
そこで下記特許文献１に記載のように、入力された文字を拡大表示するシステムが存在する。
【０００５】
【特許文献１】特開平１０−２２８４７２号公報
【発明の開示】
【発明が解決しようとする課題】
【０００６】
上記特許文献１に記載の発明を用いることによって、入力した文字の拡大表示を行うことは出来る。しかし携帯端末やパーソナルコンピュータ（以下、これらを総称して「端末」という）で受信した電子メールやウェブサイトなどにおける文章の文字を適宜拡大表示することは難しい。なぜならば特許文献１に記載の発明では、入力対象の文字を正確に入力するために、紛らわしい文字などを拡大表示する発明であって、本願の目的とする、端末で表示する文字を見やすくするために拡大をするわけではないからである。
【０００７】
特に、上記発明では、システムに、文字の中で画線が最も密な部分における画線密度と呼ばれるデータを、文字毎に表示補助情報辞書として所持していなければならず、システムに処理容量が必要となる。また全ての文字に対してこのような表示補助情報辞書を備えることは現実的ではない。
【０００８】
更に各文字での判定となるので、拡大表示される文字と拡大表示されない文字とが、一つの文章で混在して表示されることとなり、文章全体としては極めて読みにくい文章となってしまう問題点がある。
【課題を解決するための手段】
【０００９】
そこで本発明者は上述の問題点に鑑み、端末、特に携帯端末で文章の表示を行う際に有効な文字サイズ自動変更システムを発明した。
【００１０】
請求項１の発明は、端末において表示する文章の文字の大きさを自動的に変更する文字サイズ自動変更システムであって、前記文字サイズ自動変更システムは、処理対象とする文章を読み込む文章読込部と、前記読み込んだ文章において文字がどれだけ含まれているかをカウントすることで、基準総ドット数を算出する基準総ドット数算出部と、前記文章において、実際に文字を表示するために使用されるドット数をカウントするドットカウント部と、前記基準総ドット数算出部で算出した基準総ドット数と、前記ドットカウント部でカウントしたドット数とに基づいて、前記読み込んだ文章の文字の表示の変更を行うかを判定する判定部と、前記判定部において表示の変更を行うことを判定した場合に、前記読み込んだ文章に対して所定の表示の変更の処理を施した上で、前記端末の表示装置で前記文章の表示を行う表示変更処理部と、を有する文字サイズ自動変更システムである。
【００１１】
本発明によって、端末で表示する文章の大きさが自動的に調節されるので、利用者は読みやすい状態で文章を見ることが出来る。また従来のように、文字毎に処理されるのではなく、文章全体が拡大等の処理がされるので、読みやすい。
【００１２】
請求項２の発明において、前記基準総ドット数算出部は、前記カウントした文字数に、一文字を表示するのに必要な平均的な領域の大きさを乗算することにより、前記基準総ドット数を算出する、文字サイズ自動変更システムである。
【００１３】
一文字を表示するのに必要な領域の平均的な大きさは予め分かっているので、その大きさに文章の文字数を乗算することによって、文章全体で必要な大きさ（ドット数）を算出することが出来る。
【００１４】
請求項３の発明において、前記判定部は、前記基準総ドット数と、前記ドットカウント部でカウントしたドット数とに基づいて、文章全体において文字を表示するために使用されるドットの割合を算出し、その割合が予め定められた基準値以上または基準値より大きい場合に、前記文章の文字の表示の変更を行うことを判定する、文字サイズ自動変更システムである。
【００１５】
本発明のように算出した割合が高いのは、文字として使用されているドットが多い場合である。つまり文字のサイズが細かかったり、画数が多い文字が多く表示されている等の場合である。このような文章を端末で見る場合、読みにくいことが発明者の研究により分かっている。従って、この割合が所定の基準値以上、または基準値よりも大きい場合に、表示変更の処理を行うことによって、文章の見やすさの改善を図ることが出来る。
【００１６】
請求項４の発明において、前記文章の文字の表示の変更として、前記文章を所定の倍率で拡大表示する、前記文章を所定のフォントサイズで表示する、前記文章の行間を所定のサイズだけ空ける、前記文章の各文字の間隔を所定のサイズだけ空ける、のいずれか一以上を含む、文字サイズ自動変更システムである。
【００１７】
文章を見やすくするための処理はいくつかあるが、本発明のような処理は代表的な一例であり、これらを用いると良い。
【００１８】
請求項５の発明において、前記文章として、電子メール、ウェブサイトのコンテンツ、電子書籍のいずれか一以上を含む、文字サイズ自動変更システムである。
【００１９】
端末で処理対象とする文章としては、本発明のようなものが代表的な例としてある。
【００２０】
請求項６の発明は、端末を、処理対象とする文章を読み込む文章読込部、前記読み込んだ文章において文字がどれだけ含まれているかをカウントすることで、基準総ドット数を算出する基準総ドット数算出部、前記文章において、実際に文字を表示するために使用されるドット数をカウントするドットカウント部、前記基準総ドット数算出部で算出した基準総ドット数と、前記ドットカウント部でカウントしたドット数とに基づいて、前記読み込んだ文章の文字の表示の変更を行うかを判定する判定部、前記判定部において表示の変更を行うことを判定した場合に、前記読み込んだ文章に対して所定の表示の変更の処理を施した上で、前記端末の表示装置で前記文章の表示を行う表示変更処理部、として機能させるための文字サイズ自動変更プログラムである。
【００２１】
上述の発明は、本発明のようなプログラムとして構成することも出来る。このプログラムを端末で読み込ませて処理を行わせることによって、上述のシステムが実行される。
【発明の効果】
【００２２】
本発明を用いることによって、端末で表示する文章の文字の大きさなどを自動的に調整し、利用者が見やすい状態で文章を見ることが出来る。また特許文献１に記載のように、文字単位で処理がなされないため、一つの文章で拡大表示される文字と拡大表示されない文字とが混在することもなく、読みやすい文章となる。
【発明を実施するための最良の形態】
【００２３】
本発明のシステム構成の概念図の一例を図１に示す。本発明の文字サイズ自動変更システム１は、端末で電子メールやウェブサイト、電子書籍などで、文章を表示する際に用いられる。文字サイズ自動変更システム１は、本発明の処理を制御する端末上で実現される。この端末には、プログラムの演算処理を実行するＣＰＵなどの演算装置と、情報を記憶するＲＡＭやハードディスクなどの記憶装置と、ディスプレイなどの表示装置とを少なくとも有している。端末上で実現する各機能（各手段）は、その処理を実行する手段（プログラムやモジュールなど）が演算装置に読み込まれることでその処理が実行される。各機能は、記憶装置に記憶した情報をその処理において使用する場合には、該当する情報を当該記憶装置から読み出し、読み出した情報を適宜、演算装置における処理に用いる。当該端末には、演算装置の処理結果や記憶装置に記憶する情報をインターネットやＬＡＮなどのネットワークを介して送受信する通信装置、キーボードやマウスやテンキーなどの入力装置を有していても良い。
【００２４】
本発明における各機能（各手段）は、その機能が論理的に区別されているのみであって、物理上あるいは事実上は同一の領域を為していても良い。また各機能は、一又は複数のプログラムやモジュール、装置等により処理することも可能である。
【００２５】
文字サイズ自動変更システム１は、文章読込部２と基準総ドット数算出部３とドットカウント部４と判定部５と表示変更処理部６とを有している。
【００２６】
文章読込部２は、端末の表示装置で表示する、電子メールやウェブサイトの文章を読み込む。ここで読み込んだ文章が、本発明の処理対象となる。なお文章とは、一又は複数の文からなるものをいう。また文章読込部２で処理対象とする文章は、複数の文章からなる文章全体であっても良いし、また文章全体のうち、利用者が入力装置などで指定した範囲の文章や予め定められた文章単位（例えば段落毎、記事毎など）を処理対象の文章としても良い。また端末の表示装置で表示する文章毎に読み込み、処理対象としても良い。
【００２７】
基準総ドット数算出部３は、文章読込部２で読み込んだ文章に、文字が何文字含まれているかをカウントする。そして、端末で文字を表示する際に、端末で設定されている文字のサイズによって、一文字を表示するのに必要な平均的な領域の大きさ（ドット数）（例えば縦１６ドット、横１６ドット）が分かっているので（この一文字あたりの平均的な領域の大きさは、予め基準総ドット数算出部３で設定されており、それを記憶している）、その領域の大きさに、カウントした文字数を乗算することで、文章を表示するのに必要な領域の大きさを算出する。例えば、文章が５０文字で、一文字を表示するのに必要な領域の平均的な大きさが縦１６ドット、横１６ドットの場合、文章全体では、
（数１）
５０×１６×１６＝１２，８００ドット
必要であることを基準総ドット数算出部３は算出する。基準総ドット数算出部３が算出する、文章全体を表示するのに必要な平均的な領域の大きさを基準総ドット数という。
【００２８】
ドットカウント部４は、端末の表示装置で表示する文章で、実際に文字を表示する為に使用されているドット数をカウントする。端末で文字が黒色で表示されている場合には、一つの文字を表示するには、一つの文字を表示する矩形領域に含まれるドット（画素）を、黒色で表示し、それ以外を例えば白色とすることによって行っている。その為、各文字の黒色として表示されているドットをカウントすることで、文章全体の黒色のドット数を算出する。
【００２９】
図３は、漢数字の「一」を模式的に示したものである。「一」を表示するために必要な領域が例えば縦１６ドット、横１６ドットの場合、そのうちの黒色で表示するドットと白色で表示するドットとに分けることによって、「一」が表示されている。図３の場合、ドットカウント部４は、黒色で表示されているドットが１８ドットであることをカウントする。このように各文字に対して、文字を表示するために使用されているドット数（例えば黒色で表示されているドット数）をカウントすることで、文章全体で、文字を表示するために使用されているドット数を算出することが出来る。この算出したドット数を基準総ドット数で除することによって、文字を表示するために使用されているドットの割合（例えば黒色ドットの割合）が分かる。これは、文章全体においてどれだけ文字が密集して表示されているかを示す密度になる。この密度が高い方が文章が読みにくく、密度が低い方が文章が読みやすい。その判定を以下の判定部５の処理で行う。
【００３０】
判定部５は、基準総ドット数算出部３で算出した基準総ドット数と、ドットカウント部４で算出した文字を表示するために使用されているドット数とに基づいて、文章全体におけるドット数の割合を算出する。そしてこの割合に基づいて、文章読込部２で読み込んだ文章の表示変更処理を行うかどうかの判定を行う。文章の表示変更処理には、例えば文章を拡大表示する、縮小表示する、文章の行間を空ける、各文字の間隔を空ける、などがある。
【００３１】
表示変更処理部６は、判定部５で文章の表示変更処理を行うことを判定した場合に、文章読込部２で読み込んだ文章に対して、判定部５で判定した処理を実行した上で端末の表示装置に表示する。
【００３２】
次に本発明の処理プロセスの一例を図２のフローチャート、図１の概念図を用いて説明する。なお本明細書では、携帯端末で受信した電子メールを表示する場合を説明するが、ウェブサイトの文章や、その他の文章であっても同様に実現可能である。図４に文章読込部２で読み込む電子メールの一例を示す。
【００３３】
携帯端末で受信した電子メールを表示する場合には、電子メールの文章を文章読込部２で読み込む（Ｓ１００）。この際に読み込む文章としては、電子メールの本文だけであっても良いし、件名、宛先、送信元などの電子メールのヘッダに含まれる情報を読み込んでも良い。従って、図４に示すような電子メールの文章を文章読込部２が読み込む。
【００３４】
文章読込部２で電子メールの文章を読み込むと、基準総ドット数算出部３が、Ｓ１００で読み込んだ文章に含まれる文字数をカウントする（Ｓ１１０）。この際に、文字の他、数字、記号、絵文字などもカウントすると良い。
【００３５】
Ｓ１１０で読み込んだ文字数に、予め設定された、一文字を表示するのに必要な領域の平均的な大きさを乗算することによって、当該文章における基準総ドット数を算出する（Ｓ１２０）。
【００３６】
例えばＳ１００で読み込んだ文章の文字数が５０文字であり、一文字を表示するのに必要な領域の平均的な大きさが縦１６ドット、横１６ドットの場合には、基準総ドット数は、１２，８００ドット（＝５０×１６×１６）として基準総ドット数算出部３は算出することが出来る。
【００３７】
次に、文章読込部２で読み込んだ文章（図４の文章）において、実際に文字を表示するために使用されるドット数をドットカウント部４がカウントする（Ｓ１３０）。例えば文字を黒色、背景を白色で表示する表示装置の場合、読み込んだ文章の全ての文字について、一つの文字を構成する黒色のドット数をカウントし、各文字についてのそれらの総和を算出することによって、読み込んだ文章で文字を表示するために使用されているドット数を求めることが出来る。
【００３８】
Ｓ１２０で基準総ドット数、Ｓ１３０で文章で使用されている文字を表示するために使用されているドット数の算出後、判定部５は、使用されているドット数の割合を算出する（Ｓ１４０）。これは、数２のように算出することが出来る。
（数２）
文字を表示するために使用されているドット数÷基準総ドット数×１００
【００３９】
判定部５では、数２で算出した割合と、予め定められた基準値とを比較し、文章読込部２で読み込んだ文章（図４の電子メールの文章）を拡大表示するか否かを判定する（Ｓ１５０）。例えば基準値が２０％として設定されており、数２で算出した割合が基準値を超過する場合に、予め定められた所定の倍率（または、より大きなフォントサイズ）でＳ１００で読み込んだ文章を拡大した上で表示装置で表示処理を行う、と設定されている場合、数２で算出した割合が３０％の時には、図４の文章を図５のように拡大して表示装置で表示することを判定する。
【００４０】
また判定部５で、数２で算出した割合が基準値を超過する場合に、Ｓ１００で読み込んだ文章に対して、予め定められた大きさだけ文章の行間を空ける、と設定されている場合、数２で算出した割合が３０％の時には、図４の文章を図６のように行間を広げて表示装置で表示することを判定する。
【００４１】
更に判定部５で、数２で算出した割合が基準値を超過する場合に、Ｓ１００で読み込んだ文章に対して、予め定められた大きさだけ文字の間隔を空ける、と設定されている場合、数２で算出した割合が３０％の時には、図４の文章を図７のように文字の間隔を広げて表示装置で表示することを判定する。
【００４２】
Ｓ１５０における判定部５での判定の結果、文章読込部２で読み込んだ文章の表示変更処理を行うことを判定した場合には、表示変更処理部６は、その判定結果に従った表示変更処理を携帯端末の表示装置で行う（Ｓ１６０）。
【００４３】
例えば文章を所定の倍率拡大することを判定した場合には、文章読込部２で読み込んだ文章を図５に示すように拡大して表示装置で表示する。文章の行間を所定の大きさだけ空けることを判定した場合には、文章読込部２で読み込んだ文章を図６に示すように、行間を広げて表示装置で表示する。文字の間隔を所定の大きさだけ空けることを判定した場合には、文章読込部２で読み込んだ文章の文字の間隔を図７に示すように、文字間隔を広げて表示装置で表示する。
【００４４】
以上のような処理を行うことで、表示装置で表示する文章が読みやすくなる。
【産業上の利用可能性】
【００４５】
本発明を用いることによって、端末で表示する文章の文字の大きさを自動的に調整し、利用者が見やすい状態で文章を見ることが出来る。また特許文献１に記載の発明のように、文字単位で処理がなされないため、一つの文章で拡大表示される文字と拡大表示されない文字とが混在することもなく、読みやすい文章となる。
【図面の簡単な説明】
【００４６】
【図１】本発明のシステム構成の一例を示す概念図である。
【図２】本発明の処理プロセスの一例を示すフローチャートである。
【図３】文字に使用されているドットを模式的に示す図である。
【図４】読み込む文章の一例である。
【図５】読み込んだ文章を拡大表示した文章の一例である。
【図６】読み込んだ文章を、行間を広げて表示した文章の一例である。
【図７】読み込んだ文章を、文字間隔を広げて表示した文章の一例である。
【符号の説明】
【００４７】
１：文字サイズ自動変更システム
２：文章読込部
３：基準総ドット数算出部
４：ドットカウント部
５：判定部
６：表示変更処理部
【図１】
2007305017.tif 000003
【図２】
2007305017.tif 000004
【図３】
2007305017.tif 000005
【図４】
2007305017.tif 000006
【図５】
2007305017.tif 000007
【図６】
2007305017.tif 000008
【図７】
2007305017.tif 000009
【手続補正書】
【提出日】平成18年10月13日(2006.10.13)
【手続補正１】
【補正対象書類名】特許請求の範囲
【補正対象項目名】全文
【補正方法】変更
【補正の内容】
【特許請求の範囲】
【請求項１】
端末において表示する文章の文字の大きさを自動的に変更する文字サイズ自動変更システムであって、
前記文字サイズ自動変更システムは、
処理対象とする文章を読み込む文章読込部と、
前記読み込んだ文章において文字がどれだけ含まれているかをカウントすることで、基準総ドット数を算出する基準総ドット数算出部と、
前記文章において、実際に文字を表示するために使用されるドット数をカウントするドットカウント部と、
前記基準総ドット数算出部で算出した基準総ドット数と、前記ドットカウント部でカウントしたドット数とに基づいて、文字を表示するために使用されるドットの割合を算出し、その割合を用いて前記文章の文字の表示の変更を行うかを判定する判定部と、
前記判定部において表示の変更を行うことを判定した場合に、前記読み込んだ文章に対して所定の表示の変更の処理を施した上で、前記端末の表示装置で前記文章の表示を行う表示変更処理部と、
を有することを特徴とする文字サイズ自動変更システム。
【請求項２】
前記基準総ドット数算出部は、
前記カウントした文字数に、一文字を表示するのに必要な平均的な領域の大きさを乗算することにより、前記基準総ドット数を算出する、
ことを特徴とする請求項１に記載の文字サイズ自動変更システム。
【請求項３】
前記文章の文字の表示の変更として、
前記文章を所定の倍率で拡大表示する、前記文章を所定のフォントサイズで表示する、前記文章の行間を所定のサイズだけ空ける、前記文章の各文字の間隔を所定のサイズだけ空ける、のいずれか一以上を含む、
ことを特徴とする請求項１に記載の文字サイズ自動変更システム。
【請求項４】
前記文章として、電子メール、ウェブサイトのコンテンツ、電子書籍のいずれか一以上を含む、
ことを特徴とする請求項１から請求項３のいずれかに記載の文字サイズ自動変更システム。
【請求項５】
端末を、
処理対象とする文章を読み込む文章読込部、
前記読み込んだ文章において文字がどれだけ含まれているかをカウントすることで、基準総ドット数を算出する基準総ドット数算出部、
前記文章において、実際に文字を表示するために使用されるドット数をカウントするドットカウント部、
前記基準総ドット数算出部で算出した基準総ドット数と、前記ドットカウント部でカウントしたドット数とに基づいて、文字を表示するために使用されるドットの割合を算出し、その割合を用いて前記文章の文字の表示の変更を行うかを判定する判定部、
前記判定部において表示の変更を行うことを判定した場合に、前記読み込んだ文章に対して所定の表示の変更の処理を施した上で、前記端末の表示装置で前記文章の表示を行う表示変更処理部、
として機能させるための文字サイズ自動変更プログラム。
【手続補正２】
【補正対象書類名】明細書
【補正対象項目名】００１０
【補正方法】変更
【補正の内容】
【００１０】
請求項１の発明は、端末において表示する文章の文字の大きさを自動的に変更する文字サイズ自動変更システムであって、前記文字サイズ自動変更システムは、処理対象とする文章を読み込む文章読込部と、前記読み込んだ文章において文字がどれだけ含まれているかをカウントすることで、基準総ドット数を算出する基準総ドット数算出部と、前記文章において、実際に文字を表示するために使用されるドット数をカウントするドットカウント部と、前記基準総ドット数算出部で算出した基準総ドット数と、前記ドットカウント部でカウントしたドット数とに基づいて、文字を表示するために使用されるドットの割合を算出し、その割合を用いて前記文章の文字の表示の変更を行うかを判定する判定部と、前記判定部において表示の変更を行うことを判定した場合に、前記読み込んだ文章に対して所定の表示の変更の処理を施した上で、前記端末の表示装置で前記文章の表示を行う表示変更処理部と、を有する文字サイズ自動変更システムである。
【手続補正３】
【補正対象書類名】明細書
【補正対象項目名】００１１
【補正方法】変更
【補正の内容】
【００１１】
本発明によって、端末で表示する文章の大きさが自動的に調節されるので、利用者は読みやすい状態で文章を見ることが出来る。また従来のように、文字毎に処理されるのではなく、文章全体が拡大等の処理がされるので、読みやすい。また、算出した割合が高いのは、文字として使用されているドットが多い場合である。つまり文字のサイズが細かかったり、画数が多い文字が多く表示されている等の場合である。このような文章を端末で見る場合、読みにくいことが発明者の研究により分かっている。従って、この割合が所定の基準値以上、または基準値よりも大きい場合に、表示変更の処理を行うことによって、文章の見やすさの改善を図ることが出来る。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
請求項３の発明において、前記文章の文字の表示の変更として、前記文章を所定の倍率で拡大表示する、前記文章を所定のフォントサイズで表示する、前記文章の行間を所定のサイズだけ空ける、前記文章の各文字の間隔を所定のサイズだけ空ける、のいずれか一以上を含む、文字サイズ自動変更システムである。
【手続補正７】
【補正対象書類名】明細書
【補正対象項目名】００１８
【補正方法】変更
【補正の内容】
【００１８】
請求項４の発明において、前記文章として、電子メール、ウェブサイトのコンテンツ、電子書籍のいずれか一以上を含む、文字サイズ自動変更システムである。
【手続補正８】
【補正対象書類名】明細書
【補正対象項目名】００２０
【補正方法】変更
【補正の内容】
【００２０】
請求項５の発明は、端末を、処理対象とする文章を読み込む文章読込部、前記読み込んだ文章において文字がどれだけ含まれているかをカウントすることで、基準総ドット数を算出する基準総ドット数算出部、前記文章において、実際に文字を表示するために使用されるドット数をカウントするドットカウント部、前記基準総ドット数算出部で算出した基準総ドット数と、前記ドットカウント部でカウントしたドット数とに基づいて、文字を表示するために使用されるドットの割合を算出し、その割合を用いて前記文章の文字の表示の変更を行うかを判定する判定部、前記判定部において表示の変更を行うことを判定した場合に、前記読み込んだ文章に対して所定の表示の変更の処理を施した上で、前記端末の表示装置で前記文章の表示を行う表示変更処理部、として機能させるための文字サイズ自動変更プログラムである。